(57)【特許請求の範囲】
【請求項１】
エンジン及び電動機のトルクを駆動源として駆動輪に伝達可能なハイブリッド式車両の駆動制御装置であって、
前記エンジンと前記電動機との間に介装され、前記エンジンから前記電動機を介して前記駆動輪に伝達されるトルクの伝達状態をストローク量に応じて断接調整可能なクラッチ装置と、
前記クラッチ装置の前記ストローク量を検出するクラッチストローク量検出手段と、
前記駆動源として前記電動機のみを使用して走行する電動機走行モードと、前記駆動源として点火された前記エンジンのみを使用して走行するエンジン走行モードと、を含む走行モードの中から１つの走行モードを選択する走行モード選択手段と、
前記エンジン、前記電動機及び前記クラッチ装置の作動を制御する制御手段と、を備え、
前記クラッチ装置において、所定のエンジントルクを伝達するストローク量を基準ストローク量とし、
走行モード選択手段により前記電動機走行モードと前記エンジン走行モードとの間で切替える走行モード切替え時において、
前記制御手段は、前記ストローク量が前記基準ストローク量よりもクラッチ切断状態側にある場合の前記エンジントルクの変化率が、前記ストローク量が前記基準ストローク量よりもクラッチ接続状態側にある場合の前記エンジントルクの変化率よりも大きくなるように、前記エンジントルクを変化させることを特徴とする、ハイブリッド式車両の駆動制御装置。
【請求項２】
前記制御手段は、目標クリープトルクを算出する目標クリープトルク算出手段と、をさらに備え、
前記走行モード切替えは、前記ハイブリッド式車両のクリープ走行中における前記電動機走行モードから前記エンジン走行モードへの切替えであって、
前記エンジントルクの変化は、前記クラッチ装置を切断状態から接続状態にストロークさせながら前記エンジンのトルクを増加させるものであって、
前記制御手段は、前記エンジンのトルク増加に対応させて前記電動機のトルクを減少させ、前記エンジントルクと前記電動機トルクとの総和が前記目標クリープトルク算出手段により算出された前記目標クリープトルクとなるように制御する
ことを特徴とする、請求項１記載のハイブリッド式車両の駆動制御装置。
【請求項３】
前記電動機に電力を供給するバッテリと、
前記バッテリの充電量を演算するバッテリ充電量演算手段と、をさらに備え、
前記走行モード選択手段は、電動機走行モードによる前記クリープ走行中に、前記バッテリ充電量演算手段によって演算されたバッテリ充電量が予め設定された下限値まで減少したら、前記電動機走行モードから前記エンジン走行モードに切替える
ことを特徴とする、請求項１又は２記載のハイブリッド式車両の駆動制御装置。
【請求項４】
前記電動機の温度を演算する電動機温度演算手段をさらに備え、
前記走行モード選択手段は、電動機走行モードによる前記クリープ走行中に、前記電動機温度演算手段によって演算された前記電動機温度が予め設定された上限値まで上昇した場合に、前記電動機走行モードから前記エンジン走行モードに切替える
ことを特徴とする、請求項１〜３のいずれか１項に記載のハイブリッド式車両の駆動制御装置。
【請求項５】
前記電動機に電力を供給するバッテリの温度を演算するバッテリ温度演算手段をさらに備え、
前記走行モード選択手段は、前記バッテリ温度演算手段によって演算された前記バッテリ温度が予め設定された上限値まで上昇した場合に、前記電動機走行モードから前記エン
ジン走行モードに切替える
ことを特徴とする、請求項１〜３のいずれか１項に記載のハイブリッド式車両の駆動制御装置。
【請求項６】
前記走行モード選択手段による前記電動機走行モードと前記エンジン走行モードとの間の走行モード切替え時に、前記クラッチ装置の接続開始前に前記エンジンの回転数と前記電動機の回転数とを同期させる回転合わせ制御手段をさらに備えている
ことを特徴とする、請求項１〜５のいずれか１項に記載のハイブリッド式車両の駆動制御装置。
【請求項７】
前記基準ストローク量は、前記クラッチ装置においてエンジントルクの半分を伝達するストローク量である、請求項１〜６のいずれか１項に記載のハイブリッド式車両の駆動制御装置。
【請求項８】
前記基準ストローク量は、前記クラッチ装置においてエンジントルクの半分を伝達するストローク量よりも小さいストローク量である、請求項１〜６のいずれか１項に記載のハイブリッド式車両の駆動制御装置。
【請求項９】
前記基準ストローク量は、前記クラッチ装置においてエンジントルクの半分を伝達するストローク量よりも大きいストローク量である、請求項１〜６のいずれか１項に記載のハイブリッド式車両の駆動制御装置。
【発明の詳細な説明】
【技術分野】
【０００１】
本発明は、クリープ走行時におけるエンジンと電動機との駆動源を切替えるハイブリッド式車両の駆動制御装置に関する。
【背景技術】
【０００２】
自動車では、アクセルペダルを放した状態でも車両を発進させたり、緩やかに走行させたりするクリープ走行があるが、この時の車両の駆動トルク、いわゆるクリープトルクが変動すると、不安定なクリープトルク走行状態となるので、このクリープトルクを安定させるクリープ走行制御が開発されている。駆動源として、エンジンと走行用モータとを備えたハイブリッド式車両においても、クリープ走行制御が開発されている。
【０００３】
このようなハイブリッド式車両の場合、出力要求の少ないクリープ走行時には、走行用モータのみの出力トルクを用いて車両を駆動することで、エンジンの出力トルクに頼らずに車両を走行させることができる。しかし、このようなハイブリッド式車両のクリープ走行時においては、バッテリの充電量（以下、バッテリ充電量ＳＯＣ（Ｓｔａｔｅ  Ｏｆ  Ｃｈａｒｇｅ））が低下した場合は、適宜、動力源を走行用モータからエンジンに切替えることが必要になる。
【０００４】
例えば、特許文献１には、車両の駆動源としてエンジンと走行用モータとを備えたハイブリッド式車両の制御装置において、車速とレンジ信号とからクリープ走行時における目標クリープトルクを演算し、クリープ走行中にエンジンと走行用モータとの間で駆動源の切替えを行う際には、エンジンによるクリープトルクと走行用モータによるクリープトルクとの一方を増加させ、他方を減少させることになるが、この時の各クリープトルクの変化量を緩やかに変化させることにより、トルクの急変による運転性悪化を低減した技術が開示されている。
【先行技術文献】
【特許文献】
【０００５】
【特許文献１】特開２００１−１７７９１２号公報
【発明の概要】
【発明が解決しようとする課題】
【０００６】
しかしながら、特許文献１に記載の技術では、走行用モータによるクリープ走行時にバッテリ充電量ＳＯＣが低下し、駆動源を走行用モータからエンジンへ切替える場合、伝達されるトルクが急変することにより車両に引起されるショック（トルクショック）等の運転性悪化を低減できるものの、トルクを徐々に伝達させる方式では、動力源の切替えに時間を要するため、更なるバッテリ充電量ＳＯＣの低下や、バッテリ温度の上昇を招くといった課題がある。
【０００７】
本発明はこのような課題に鑑みてなされたもので、簡素な構成でクリープ走行時の駆動源の切替えを速やかに行うようにして、トルクショック（運転性悪化）の発生を抑制しながら、バッテリ充電量ＳＯＣの低下を抑制しつつ、燃費を改善できるようにした、ハイブリッド式車両の駆動制御装置を提供することを目的とする。
【課題を解決するための手段】
【０００８】
上記目的を達成するため、本発明のハイブリッド式車両の駆動制御装置は、エンジン及び電動機のトルクを駆動源として駆動輪に伝達可能なハイブリッド式車両の駆動制御装置であって、前記エンジンと前記電動機との間に介装され、前記エンジンから前記電動機を介して前記駆動輪に伝達されるトルクの伝達状態をストローク量に応じて断接調整可能なクラッチ装置と、前記クラッチ装置の前記ストローク量を検出するクラッチストローク量検出手段と、前記駆動源として前記電動機のみを使用して走行する電動機走行モードと、前記駆動源として前記エンジンのみを使用して走行するエンジン走行モードと、を含む走行モードの中から１つの走行モードを選択する走行モード選択手段と、前記エンジン，前記電動機及び前記クラッチ装置の作動を制御する制御手段とを備え、前記制御手段は、走行モード選択手段により前記電動機走行モードと前記エンジン走行モードとの間で切替える走行モード切替え時に、前記エンジントルクの変化率を、前記ストローク量が前記クラッチ装置の半クラッチ状態に対応して設定された基準ストローク量よりもクラッチ切断状態側にある場合には、前記ストローク量が前記基準ストローク量よりもクラッチ接続状態側にある場合よりも大きくなるように、前記エンジントルクを変化させることを特徴とする。
【０００９】
また、前記制御手段は、前記制御手段は、目標クリープトルクを算出する目標クリープトルク算出手段とをさらに備え、前記走行モード切替えは、前記ハイブリッド式車両のクリープ走行中における前記電動機走行モードから前記エンジン走行モードへの切替えであって、前記エンジントルクの変化は、前記クラッチ装置を切断状態から接続状態にストロークさせながら前記エンジンのトルクを増加させるものであって、前記制御手段は、前記エンジンのトルク増加に対応させて前記電動機のトルクを減少させ、前記エンジントルクと前記電動機トルクとの総和が前記目標クリープトルク算出手段により算出された前記目標クリープトルクとなるように制御するようにしてもよい。
【００１０】
また、前記電動機に電力を供給するバッテリと、前記バッテリの充電量を演算するバッテリ充電量演算手段とをさらに備え、前記走行モード選択手段は、電動機走行モードによる前記クリープ走行中に、前記バッテリ充電量演算手段によって演算されたバッテリ充電量が予め設定された下限値まで減少したら、前記電動機走行モードから前記エンジン走行モードに切替えるようにしてもよい。
【００１１】
また、前記電動機の温度を演算する電動機温度演算手段をさらに備え、前記走行モード選択手段は、電動機走行モードによる前記クリープ走行中に、前記電動機温度演算手段によって演算された前記電動機温度が予め設定された上限値まで上昇した場合に、前記電動機走行モードから前記エンジン走行モードに切替えるようにしてもよい。
また、前記電動機に電力を供給するバッテリの温度を演算するバッテリ温度演算手段をさらに備え、前記走行モード選択手段は、前記バッテリ温度演算手段によって演算された前記バッテリ温度が予め設定された上限値まで上昇した場合に、前記電動機走行モードから前記エンジン走行モードに切替えるようにしてもよい。
【００１２】
また、前記走行モード選択手段による前記電動機走行モードと前記エンジン走行モードとの間の走行モード切替え時に、前記クラッチ装置の接続開始前に前記エンジンの回転数と前記電動機の回転数とを同期させる回転合わせ制御手段をさらに備えているようにしてもよい。
【発明の効果】
【００１３】
本発明のハイブリッド式車両の駆動制御装置によれば、クリープ走行時に駆動源をエンジンから走行用モータに切替える場合や、走行用モータからエンジンに切替える場合において、クラッチ装置によるトルクの伝達率が比較的低いストローク量の領域では、エンジントルクの変化率を大きくし、トルクの伝達率が比較的高いストローク量の領域では、エンジントルクの変化率を小さくすることで、駆動源の切替えを速やかに行うようにして、トルクショック（運転性悪化）の発生を抑制しながら、バッテリ充電量ＳＯＣの低下を抑制しつつ、燃費を改善することができる。
【図面の簡単な説明】
【００１４】
【図１】本発明の一実施形態に係るハイブリッド式車両の駆動系と駆動制御装置を示すブロック図である。
【図２】本発明の一実施形態に係る動力切替え時におけるトルク変化量を示すグラフである。
【図３】本発明の一実施形態に係るクラッチ装置によるトルク伝達率を示すグラフである。
【図４】本発明の一実施形態に係るハイブリッド式車両の駆動制御装置の制御内容を示すフローチャート（前段）である。
【図５】本発明の一実施形態に係るハイブリッド式車両の駆動制御装置の制御内容を示すフローチャート（後段）である。
【発明を実施するための形態】
【００１５】
以下、図面により、本発明の実施形態について説明する。
図１〜５は本発明の一実施形態を説明するもので、図１はそのハイブリッド式車両の駆動系と駆動制御装置を示すブロック図、図２はその動力切替え時におけるトルク変化量を示すグラフ、図３はそのクラッチ装置によるトルク伝達率を示すグラフ、図４，５はその駆動制御装置の制御内容を示すフローチャートである。
【００１６】
まず、図１を用いて、本発明の一実施形態に係るハイブリッド式車両の駆動系から説明する。
［ハイブリッド式車両の駆動系の詳細］
本実施形態にかかるハイブリッド式車両（以下、車両という）１の駆動系は、図１に示すように、走行用エンジン（エンジン）２と、クラッチ装置３と、走行用モータ（電動機）４と、機械式自動変速機（変速機）５と、プロペラシャフト２０と、差動装置２１と、左右の駆動輪２２Ｒ，２２Ｌと、インバータ１０と、バッテリ１１とを備えている。
【００１７】
エンジン２は、詳細を後述する駆動制御ＥＣＵ（制御手段）３０のエンジン制御部３１によって、車両の運転状態に応じたエンジントルクを発生させるように燃焼を制御される。また、エンジン２の出力軸（図示せず）は、クラッチ装置３によって走行用モータ４の回転軸（図示せず）の入力側と断接可能に構成されている。
クラッチ装置３には、油圧により作動する摩擦クラッチ板 が 備えられ、図示しない油圧シリンダ装置によってクラッチストローク量が調整されることにより、エンジン２の出力軸と走行用モータ４の回転軸とを断接制御するよう構成されている。この断接制御は、駆動制御ＥＣＵ３０のクラッチ装置制御部３８から作動信号が出力されることによって行なわれる。
【００１８】
すなわち、クラッチ装置３に接続信号が出力されると、油圧シリンダに作動油が供給され、クラッチのストローク量を最大にすることで、エンジン２の出力軸側のクラッチ板と走行用モータ４の回転軸側のクラッチ板とを係合して、エンジン２のトルクが走行用モータ４の回転軸に伝達されるトルク伝達状態にする。
【００１９】
一方、クラッチ装置３に切断信号が出力された場合は、油圧シリンダから作動油が放出されて油圧が低下し、クラッチのストローク量を最小にすることで、エンジン２の出力軸側のクラッチ板と走行用モータ４の回転軸側のクラッチ板との係合を解放し、エンジン２のトルクが伝達されないトルク非伝達状態にする。
また、クラッチ装置３には、図示しないストロークセンサ（クラッチストローク量検出手段）が備えられており、検出されたストローク量（Ｌ）は後述する駆動制御ＥＣＵ３０のトルク変化量制御部３７に出力されるようになっている。
【００２０】
走行用モータ４は、その回転軸の出力側が、機械式自動変速機５の入力軸と接続されており、バッテリ１１に蓄えられた直流電力が、インバータ１０によって交流電力に変換されて供給されることにより駆動源（走行用モータ４）として作動する。また、走行用モータ４には、図示しない温度センサが設けられており、この温度センサによって検出した走行用モータ４の温度（Ｔｍ）は、後述する駆動制御ＥＣＵ３０の走行モード選択部３５に出力されるようになっている。
【００２１】
また、走行用モータ４は、バッテリ充電量ＳＯＣが、詳細を後述する駆動制御ＥＣＵ３０のバッテリ制御部３３によって所定の下限値４５％以下と算出された場合は、発電機として作動する。この場合、クラッチ装置３は接続制御され、エンジン２のトルクの一部を用いて走行用モータ４を駆動することにより発電が行われ、この発電された交流電力はインバータ１０によって直流電力に変換した後に、バッテリ１１に蓄電されるようになっている。
【００２２】
また、走行用モータ４は、車両１に制動力を加える際（制動操作がなされた際及び、エンジンブレーキ相当の制動力が要求された際）も発電機として作動する。すなわち、制動時に路面から駆動輪２２Ｌ，２２Ｒに加えられる制動エネルギは、差動装置２１，プロペラシャフト２０，機械式自動変速機５を介し走行用モータ４に伝達されて、交流電力へと変換される。
【００２３】
そして、この交流電力はインバータ１０で直流電力に変換された後、バッテリ１１に蓄電されることにより、駆動輪２２Ｌ，２２Ｒの運動エネルギは電気エネルギとして回生されるようになっている。
機械式自動変速機５は、その入力軸が走行用モータ４の回転軸（出力側）に接続さている。また、機械式自動変速機５の出力軸はプロペラシャフト２０と接続されており、エンジン２及び走行用モータ４のいずれか又は双方から伝達されるトルクを、適切な回転速度に変速調整した後に、プロペラシャフト２０へと伝達するように構成されている。
【００２４】
プロペラシャフト２０は、機械式自動変速機５の出力軸と接続されおり、変速調整されたエンジン２若しくは走行用モータ４のトルクが、このプロペラシャフト２０から差動装置２１を介して左右の駆動輪２２Ｌ，２２Ｒに伝達されるように構成されている。
従って、クラッチ装置３がクラッチ装置制御部３８によって接続制御されるときは、エンジン２の出力軸と走行用モータ４の回転軸とが接続されることにより、エンジン２のトルクが、機械式自動変速機５で適切な回転速度に変速調整された後に、プロペラシャフト２０から差動装置２１を介して左右の駆動輪２２Ｌ，２２Ｒへと伝達されるようになっている。
【００２５】
一方、クラッチ装置３が切断制御されているときは、エンジン２の出力軸と走行用モータ４の回転軸とが切断され、走行用モータ４のトルクのみが機械式自動変速機５で適切な回転速度に変速調整された後に、プロペラシャフト２０から差動装置２１を介して左右の駆動輪２２Ｌ，２２Ｒへと伝達されるようになっている。
【００２６】
［駆動制御装置の詳細］
以下、図１〜５を用いて、本発明の一実施形態に係るハイブリッド車両の駆動制御装置３０について説明する。
本実施形態に係る駆動制御ＥＣＵ（制御手段）３０は、公知のＣＰＵやＲＯＭ等から構成されており、エンジン制御部３１と、インバータ制御部（電動機温度演算手段）３２と、バッテリ制御部（バッテリ充電量演算手段，バッテリ温度演算手段）３３と、クリープトルク演算部（目標クリープトルク算出手段）３４と、走行モード選択部（走行モード選択手段）３５と、回転合わせ制御部（回転合わせ制御手段）３６と、トルク変化量制御部３７と、クラッチ装置制御部３８とを機能要素として備えている。
【００２７】
なお、これら各機能要素は、本実施形態では一体のハードウェアである駆動制御ＥＣＵ３０に設けているが、これらのいずれか一部を別体のハードウェアに設けることもできる。
エンジン制御部３１は、エンジン２の始動・停止制御を行うほか、図示しないアクセルペダルの踏込み量に応じた車両１の走行に必要なトルクをエンジン２が発生させるように、エンジン２自体の各種制御を行うものである。また、エンジン制御部３1は、詳細を後述するトルク変化量制御部３７によるエンジン２のトルク量の設定に応じて、エンジン２の燃料噴射量や噴射時期等を制御するようになっている。
【００２８】
インバータ制御部３２は、図示しないアクセルペダルの踏込み量に応じた車両１の走行に必要なトルクを走行用モータ４が発生するように、インバータ１０を制御することで、走行用モータ４を駆動源（モータ）として作動させるとともに、後述するバッテリ制御部３３によって、バッテリ充電量ＳＯＣが所定の下限値４５％以下と演算された場合には、走行用モータ４を発電機として作動させる切替え制御を行うものである。
【００２９】
また、インバータ制御部３２は、走行用モータ４に設けられた図示しないモータ温度センサの検出結果に基づいて、走行用モータ４の温度（Ｔｍ）を演算し、この演算結果を後述する走行モード選択部３５に出力する。
バッテリ制御部３３は、バッテリ１１に設けられた図示しない各種電圧センサやバッテリ温度センサの検出結果に基づいて、バッテリ１１のバッテリ充電量ＳＯＣとバッテリ温度（Ｔｂ）とを演算し、この演算結果を後述する走行モード選択部３５に出力する。
【００３０】
クリープトルク演算部３４は、図示しない車速センサ等の情報に基づいて、車両１のクリープ走行における目標クリープトルク量（Ｃｔ）を演算するものである。また、この演算された目標クリープトルク量（Ｃｔ）は、詳細を後述するトルク変化量制御部３７に出力される。
走行モード選択部３５には、車両１のクリープ走行時における駆動源として、走行用モータ４のみを使用して走行する「電動機走行モード」と、エンジン２のみを使用して走行する「エンジン走行モード」とが予め記憶されている。また、バッテリ充電量ＳＯＣについて予め定めた所定の下限値としてＳＯＣ下限値４５％と、バッテリ１１の温度について予め定めた所定の上限温度としてバッテリ上限温度値であるＴｂ−ｍａｘ（例えば５０℃）と、走行用モータ３の温度について予め定めた所定の上限温度としてモータ上限温度値であるＴｍ−ｍａｘ（例えば８０℃）とが記憶されている。  
【００３１】
そして、このＳＯＣ下限値４５％とバッテリ制御部３３から取込まれたバッテリ充電量ＳＯＣの演算値、バッテリ上限温度（Ｔｂ−ｍａｘ）とバッテリ制御部３３から取込まれたバッテリ１１の温度演算値（Ｔｂ）、モータ上限温度（Ｔｍ−ｍａｘ）とインバータ制御部３２から取込まれた走行用モータ４の温度演算値（Ｔｍ）とを比較することで、適宜、クリープ走行時におけるバッテリ充電量ＳＯＣとバッテリ温度とモータ温度とに応じた、最適な走行モードの選択を行うようになっている。
【００３２】
なお、ここで最適な走行モードの選択とは、車両１が走行用モータ４のトルクのみでクリープ走行している場合において、バッテリ充電量ＳＯＣが所定の下限値４５％未満、バッテリ１１の温度演算値（Ｔｂ）が所定のバッテリ上限温度（Ｔｂ−ｍａｘ）以上若しくは、走行用モータ４の温度（Ｔｍ）が所定のモータ上限温度（Ｔｍ−ｍａｘ）以上の、少なくともいずれか一つの条件を満たす場合には、駆動源を走行用モータ４からエンジン２へと切替える「エンジン走行モード」を選択することをいう。
【００３３】
また、車両１がエンジン２のトルクのみでクリープ走行している場合において、バッテリ充電量ＳＯＣが所定の下限値４５％以上、バッテリ１１の温度演算値（Ｔｂ）が所定のバテリ上限温度（Ｔｂ−ｍａｘ）未満及び、走行用モータ４の温度（Ｔｍ）が所定のモータ上限温度（Ｔｍ−ｍａｘ）未満の、いずれの条件をも満たす場合には、駆動源をエンジン２から走行用モータ４へと切替える「電動機走行モード」を選択することをいう。
【００３４】
この走行モード選択部３５によって選択された走行モードは、詳細を後述する回転合わせ制御部３６とトルク変化量制御部３７とに出力されるようになっている。
回転合わせ制御部（回転合わせ制御手段）３６は、走行モード選択部３５によって「エンジン走行モード」が選択された場合は、クラッチ装置３の接続制御が開始される前に、エンジン２の回転数と走行用モータ４の回転数とを同期させるものである。具体的には、走行用モータ４の図示しない回転センサから、走行用モータ４の回転数を検出し、エンジン２の回転数がこの検出された走行用モータ４の回転数となるように、エンジン制御部３１に制御信号を出力することで、回転合わせ制御が実行されるようになっている。
【００３５】
トルク変化量制御部３７には、ストローク量（Ｌ）をパラメータとするトルク伝達率（α）のマップ（図３） が 予め記憶されている。また、このマップ上には、エンジン２のトルク（Ｅｔ）の約半分（約５０％）を走行用モータ４の回転軸に伝達するストローク量が「基準ストローク量」として設定されている（トルク半伝達状態）。なお、本実施形態において、クラッチ装置３の最大ストローク量のインデックスを１００，最小ストローク量のインデックスを０とすると、この基準ストローク量のインデックスは３０となる（図３）。
【００３６】
そして、トルク変化量制御部３７は、走行モード選択部３５によって「エンジン走行モード」が選択された場合は、図２（ａ）に示すように、ストローク量が、最小ストローク量（０）から基準ストローク量（３０）に達するまでの間におけるエンジン２のトルク増加率を、ストローク量が基準ストローク量（３０）から最大ストローク量（１００）に達するまでの間におけるエンジン２のトルク増加率よりも大きくなるように、エンジン制御部３１に制御信号を出力する。
【００３７】
なお、本実施形態におけるエンジントルクは、ストローク量が基準ストローク量よりも小さい場合（切断側）及び、基準ストローク量よりも大きい場合（接続側）のいずれにおいても線形にトルクを増加させている。
また、ストローク量が最小ストローク量（０）から、最大ストローク量（１００）に達するまでの間における走行用モータ４のトルク（Ｍｔ）を、クリープトルク演算部３５によって演算された目標クリープトルク量（Ｃｔ）から、ストローク量に応じて増加させるエンジン２のトルク（Ｅｔ）と、図３のマップのトルク伝達率（α）とを乗じた値を差し引くことで得られるトルク量（Ｍｔ＝Ｃｔ−Ｅｔ×α）となるように、インバータ制御部３２に制御信号を出力する。
【００３８】
一方、走行モード選択部３５によって「電動機走行モード」が設定された場合は、図２（ｂ）に示すように、ストローク量が、最大ストローク量（１００）から基準ストローク量（３０）に減少するまでの間におけるエンジン２のトルク減少率を、ストローク量が基準ストローク量（３０）から最小ストローク量（０）に減少するまでの間におけるエンジン２のトルク減少率よりも小さくなるように、エンジン制御部３１に制御信号を出力する。
【００３９】
また、ストローク量が最大ストローク量（１００）から、最小ストローク量（０）に達するまでの間における走行用モータ４のトルク（Ｍｔ）を、クリープトルク演算部３５によって演算された目標クリープトルク量（Ｃｔ）から、ストローク量に応じて減少させるエンジン２のトルク（Ｅｔ）と、図３のマップのトルク伝達率（α）とを乗じた値を差し引くことで得られるトルク量（Ｍｔ＝Ｃｔ−Ｅｔ×α）となるように、インバータ制御部３２に制御信号を出力する。
【００４０】
クラッチ装置制御部３８は、走行モード選択部３５による走行モードの選択に応じて、クラッチ装置３を断接制御するものである。すなわち、走行モード選択部３５によって、「エンジン走行モード」が設定された場合は、クラッチ装置３に接続信号を出力することで、エンジン２のトルクが伝達されるトルク伝達状態に制御する。
一方、「電動機走行モード」が選択された場合は、クラッチ装置３に切断信号を出力することで、エンジン２のトルクが伝達されないトルク非伝達状態に制御する。
【００４１】
本発明の一実施形態にかかるハイブリッド式車両の駆動制御装置３０は、上述のように構成されているので、車両１がクリープ走行時には、例えば図４，５に示すフローに従って駆動制御が実施される。
まず、ステップＡ１０では、クラッチ装置制御部３８による断接制御状態から、クリープ走行中における車両１の駆動源が確認される。クラッチ装置制御部３８がクラッチ装置３を断接制御している場合、すなわち車両１が走行用モータ４の動力のみでクリープ走行している場合は、ステップＡ２０へと進む。一方、クラッチ装置制御部３８がクラッチ装置３を接続制御している場合、すなわち車両１がエンジン２の動力のみでクリープ走行している場合は、図４に示すステップＢ１０へと進む。
【００４２】
ステップＡ２０では、バッテリ制御部３３によって演算されたバッテリ充電量ＳＯＣが走行モード選択部３５に取込まれ、この演算されたバッテリ充電量ＳＯＣが、走行用モータ４の出力トルクのみでクリープトルク値（Ｃｔ）を賄うのに十分であるか否かが判断される。
すなわち、バッテリ充電量ＳＯＣが所定の下限値４５％未満（ＳＯＣ＜４５％）であれば、走行用モータ４のみでクリープトルク値（Ｃｔ）を賄うのは不十分（エンジン１への切替えが必要）と判断してステップＡ５０へと進む。一方、バッテリ充電量ＳＯＣが所定の下限値４５％以上（ＳＯＣ≧４５％）であれば、ステップＡ３０へと進む。
【００４３】
ステップＡ３０では、バッテリ制御部３３によって演算されたバッテリ１１の温度（Ｔｂ）が走行モード選択部３５に取込まれ、現在のバッテリ温度が走行用モータ４の出力トルクのみではクリープ走行を継続できなくなる所定のバッテリ上限温度（Ｔｂ−ｍａｘ）に達しているか否かが判断される。
すなわち、ステップＡ２０でバッテリ充電量ＳＯＣが十分であると判断されても、バッテリ１１の温度（Ｔｂ）が所定のバッテリ上限温度以上（Ｔｂ≧Ｔｂ−ｍａｘ）であれば、走行用モータ４の出力トルクのみでクリープ走行を継続するのは困難（エンジン１への切替えが必要）と判断してステップＡ５０へと進む。一方、バッテリ充電量ＳＯＣも十分であって、バッテリ１１の温度もバッテリ上限温度（Ｔｂ−ｍａｘ）に達していない場合は、ステップＡ４０へと進む。
【００４４】
ステップＡ４０では、インバータ制御部３２によって演算された走行用モータ４の温度（Ｔｍ）が走行モード選択部３５に取込まれ、現在のモータ温度が走行用モータ４の出力トルクのみではクリープ走行を継続できなくなる所定のモータ上限温度（Ｔｍ−ｍａｘ）に達しているか否かが判断される。
すなわち、ステップＡ２０でバッテリ充電量ＳＯＣが十分であると判断され、ステップＡ３０でバッテリ１１の温度もバッテリ上限温度（Ｔｂ−ｍａｘ）に達していないと判断されても、走行用モータ４の温度（Ｔｍ）が所定のモータ上限温度以上（Ｔｍ≧Ｔｍ−ｍａｘ）であれば、走行用モータ４の出力トルクのみでクリープ走行を継続するのは困難（エンジン１への切替えが必要）と判断してステップＡ５０へと進む。一方、バッテリ充電量ＳＯＣも十分であって、バッテリ１１の温度もバッテリ上限温度（Ｔｂ−ｍａｘ）に未達で、走行用モータ４の温度もモータ上限温度（Ｔｍ−ｍａｘ）に達していない場合は、走行用モータ４の出力トルクのみでクリープ走行の継続が可能と判断し、本駆動制御はリターンされる。
【００４５】
ステップＡ５０では、走行モード選択部３５によって、走行モードが「エンジン走行モード」に選択される。すなわち走行用モータ４からエンジン２への駆動源の切替えが開始されることになる。
ステップＡ６０では、クラッチ装置３による接続制御が開始される前に、回転合わせ制御部３６によって、エンジン２の回転数と回転センサで検出された走行用モータ４の回転数とを同期させる回転合わせ制御が実行される。
【００４６】
ステップＡ７０では、走行モードが「エンジン走行モード」に設定されたこと及び、回転合わせ制御が完了したことを受けて、トルク変化量制御部３７が、クラッチ装置３の接続制御が完了するまでの間の、エンジン２と走行用モータ４とのトルク変化量の制御を行う。
すなわち、エンジン２のトルク変化量の制御は、ストローク量が、最小ストローク量（０）から基準ストローク量（３０）に達するまでの間におけるトルク増加率を、ストローク量が基準ストローク量（３０）から最大ストローク量（１００）に達するまでの間におけるトルク増加率よりも大きくなるように、エンジン制御部３１に制御信号を出力することで実行される。
【００４７】
また、走行用モータ４のトルク変化量の制御は、ストローク量が最小ストローク量（０）から、最大ストローク量（１００）に達するまでの間におけるトルク（Ｍｔ）を、クリープトルク演算部３５によって演算された目標クリープトルク量（Ｃｔ）から、ストローク量に応じて増加させるエンジン２のトルク（Ｅｔ）と、図３のマップのトルク伝達率（α）とを乗じた値を差し引くことで得られるトルク量（Ｍｔ＝Ｃｔ−Ｅｔ×α）となるように、インバータ制御部３２に制御信号を出力することで実行される。
【００４８】
その後、ステップＡ８０では、クラッチ装置３の接続制御が完了したことを確認し、本駆動制御はリターンされる。
一方、ステップＡ１０で、クラッチ装置制御部３８がクラッチ装置３を接続制御している場合、すなわち車両１がエンジン２の動力のみでクリープ走行している場合は、図４に示すステップＢ１０へと進む。
【００４９】
ステップＢ１０では、バッテリ制御部３３によって演算されたバッテリ充電量ＳＯＣが走行モード選択部３５に取込まれ、この演算されたバッテリ充電量ＳＯＣが、走行用モータ４の出力トルクのみでクリープトルク値（Ｃｔ）を賄うのに十分であるか否かが判断される。
すなわち、バッテリ充電量ＳＯＣが所定の下限値４５％以上（ＳＯＣ≧４５％）であれば、バッテリ充電量ＳＯＣは走行用モータ４のみでクリープトルク値（Ｃｔ）を賄うのに十分な充電量であると判断し、ステップＢ２０へと進む。一方、バッテリ充電量ＳＯＣが所定の下限値４５％未満（ＳＯＣ＜４５％）であれば、クリープトルク値（Ｃｔ）を走行用モータ４の出力トルクで賄うのには不十分な充電量である（エンジン１の動力による継続走行が必要）と判断し、本駆動制御はリターンされる。
【００５０】
ステップＢ２０では、バッテリ制御部３３によって演算されたバッテリ１１の温度（Ｔｂ）が走行モード選択部３５に取込まれ、現在のバッテリ温度が走行用モータ４の出力トルクのみでクリープ走行できる、所定のバッテリ上限温度（Ｔｂ−ｍａｘ）未満まで低下しているか否かが判断される。すなわち、ステップＢ１０でバッテリ充電量ＳＯＣが十分と判断され、バッテリ温度（Ｔｂ）も十分低下している（Ｔｂ＜Ｔｂ−ｍａｘ）と判断された場合は、ステップＢ３０へと進む。一方、バッテリ温度（Ｔｂ）が、所定のバッテリ上限温度以上（Ｔｂ≧Ｔｂ−ｍａｘ）であれば、エンジン２の出力トルクのみでクリープ走行を継続すべきと判断し、本駆動制御はリターンされる。
【００５１】
ステップＢ３０では、インバータ制御部３２によって演算された走行用モータ４の温度（Ｔｍ）が走行モード選択部３５に取込まれ、現在のモータ温度が走行用モータ４の出力トルクのみでクリープ走行できる所定のモータ上限温度（Ｔｍ−ｍａｘ）未満まで低下しているか否かが判断される。すなわち、ステップＢ１０でバッテリ充電量ＳＯＣが十分と判断され、ステップＢ２０でバッテリ１１の温度も十分に低下し（Ｔｂ＜Ｔｂ−ｍａｘ）、モータ温度も十分に低下している（Ｔｍ＜Ｔｍ−ｍａｘ）と判断された場合は、ステップＢ４０へと進む。一方、モータ温度（Ｔｍ）が、所定のモータ上限温度以上（Ｔｍ≧Ｔｍ−ｍａｘ）であれば、エンジン２の出力トルクのみでクリープ走行を継続すべきと判断し、本駆動制御はリターンされる。
【００５２】
ステップＢ４０では、走行モード選択部３５によって、走行モードが「電動機走行モード」に選択される。すなわちエンジン２から走行用モータ４への駆動源の切替えが開始されることになる。
ステップＢ５０では、走行モードが「電動機走行モード」に選択されたことを受けて、トルク変化量制御部３７が、クラッチ装置３の断接制御が完了するまでの間の、エンジン２と走行用モータ４とのトルク変化量の制御を行う。
【００５３】
すなわち、エンジン２のトルク変化量の制御は、ストローク量が、最大ストローク量（１００）から基準ストローク量（３０）に減少するまでの間におけるトルク減少率を、ストローク量が基準ストローク量（３０）から最小ストローク量（０）に減少するまでの間におけるトルク減少率よりも小さくなるように、エンジン制御部３１に制御信号を出力することで実行される。
【００５４】
また、走行用モータ４のトルク変化量の制御は、ストローク量が最大ストローク量（１００）から、最小ストローク量（０）に達するまでの間におけるトルク（Ｍｔ）を、クリープトルク演算部３５によって演算された目標クリープトルク量（Ｃｔ）から、ストローク量に応じて減少させるエンジン２のトルク（Ｅｔ）と、図３のマップのトルク伝達率（α）とを乗じた値を差し引くことで得られるトルク量（Ｍｔ＝Ｃｔ−Ｅｔ×α）となるように、インバータ制御部３２に制御信号を出力することで実行される。
【００５５】
その後、ステップＢ５０では、クラッチ装置２の切断制御が完了したことを確認し、本駆動制御はリターンされる。
なお、上述のステップＡ５０において、走行モードを「エンジン走行モード」に選択した場合は、エンジン２への動力の切替えが終了した段階で、走行用モータ４を発電機として作動させるようにしてもよい。
【００５６】
すなわち、道路の交通状況等により、車両１が長時間のクリープ走行を継続する必要がある場合においては、バッテリ充電量ＳＯＣが低下により駆動源をエンジン２へ切替えた後に、走行用モータ４を発電機として作動させておけば、バッテリ充電量ＳＯＣの回復を図りつつ、エンジン２の出力トルクによるクリープ走行を継続できる。また、その後、バッテリ充電量ＳＯＣが回復した段階で、再度駆動源を走行用モータ４に切替えれば、長時間に渡るクリープ走行時におけるエンジン２の消費燃料の低減も図ることができる。
【００５７】
[作用・効果]
以上のような制御内容により、本発明の一実施形態におけるハイブリッド式車両の駆動制御装置３０によれば以下のような作用・効果を奏する。
【００５８】
すなわち、車両１が走行用モータ４のトルクのみでクリープ走行している際に、バッテリ充電量ＳＯＣが所定の下限値（４５％）を下回ると、走行モード選択部３５によって、駆動源を走行用モータ４からエンジン２へと切替える「エンジン走行モード」が選択される。その後、クラッチ装置３の接続制御が開始されると、トルク変化量制御部３７によって、トルク伝達率が比較的低いストローク量の領域におけるエンジントルクの増加率が、トルク伝達率が比較的高いストローク量の領域におけるエンジントルクの増加率よりも大きく設定されて駆動源の切替え制御が実行される。
【００５９】
したがって、駆動源の切替えによるトルクショック（運転性悪化）を低減しながら、トルクを徐々に伝達させながら駆動源の切替えを行う方式よりも、短時間に駆動源を走行用モータ４からエンジン２へと切替えることができるため、バッテリ充電量ＳＯＣの更なる低下を抑制することができる。
また、エンジン２のトルクのみでクリープ走行をしている際に、バッテリ充電量ＳＯＣが所定の下限値（４５％）まで回復すれば、走行モード選択部３５によって、駆動源をエンジン２から走行用モータ４へと切替える「電動機走行モード 」 が選択される。その後、クラッチ装置３の切断制御が開始されると、トルク変化量制御手段によって、トルクの伝達率が比較的高いストローク量の領域におけるエンジントルクの減少率が、トルクの伝達率が比較的低いストローク量の領域におけるエンジントルクの減少量よりも小さく設定されて駆動源の切替え制御が実行される。
【００６０】
したがって、トルクを徐々に伝達させながら駆動源の切替えを行う方式よりも、短時間に駆動源をエンジン２から走行用モータ４へと切替えることができるため、エンジン２の燃費を改善することができる。
また、駆動源の切替え時（クラッチ装置３の断接制御時）における、エンジン２及び走行用モータ４から伝達されるトルクの総和が、クリープトルク演算部３４によって演算された目標クリープトルク値（一定）となるように制御される。
【００６１】
したがって、駆動源の切替えによる衝撃（運転性悪化）を低減しつつ、切替え時間を短縮することにより、バッテリ充電量ＳＯＣの低下を抑制し、燃費を改善することができる。
また、バッテリ１１の温度がバッテリ上限温度（Ｔｂ−ｍａｘ）を超えた場合や、走行用モータ４の温度がモータ上限温度（Ｔｍ−ｍａｘ）を超えた場合も、走行モード選択部３５によって、駆動源を走行用モータ４からエンジン２へと切替える「エンジン走行モード」が選択される。
【００６２】
したがって、バッテリ１１の高温化による更なるバッテリ充電量ＳＯＣの低下や走行用モータ４の性能低下を抑制しつつ、バッテリ１１や走行用モータ４の劣化も防ぐことができる。
また、クラッチ装置３による接続制御が開始される前に、回転合わせ制御部３６により、エンジン２の回転数と回転センサによって検出された走行用モータ４の回転数とを同期させる回転合わせ制御が実行される。
【００６３】
したがって、駆動源の切替え（クラッチ装置３の接続制御）による衝撃（運転性悪化）を低減しつつ、切替え時間を短縮することができる。
【００６４】
[その他]
なお、本発明は、上述の実施形態に限定されるものではなく、本発明の趣旨を逸脱しない範囲で、適宜変形して実施することが可能である。
【００６５】
例えば、上述の実施例においては、目標クリープトルク値を一定のものとして説明したが、必ずしも目標クリープトルク値は一定値に限定されるものではなく、車両１の走行状況に応じて、この目標クリープトルク値を変化させることも可能である。
また、バッテリ充電量ＳＯＣの下限値として４５％を用いて説明したが、この下限値の設定を、バッテリ１１の温度や、車両１が走行する環境（外気温）に応じて変更するようにしてもよい。この場合も、上述の実施形態と同様の作用効果を奏することができる。
【００６６】
また、所定の基準ストローク量を、エンジン２のトルクが約半分（約５０％）伝達されるトルク半伝達状態のストローク量を基準として説明したが、この基準ストローク量は適宜変更することも可能である。
例えば、駆動源の切替えに伴う車両１への衝撃低減を重視する場合は、この基準ストローク量を、より伝達率の小さい領域（例えば、３０％〜４０％）のストローク量とすることもできる。また、クラッチ装置３の断接作動時間の短縮を重視する場合は、この基準ストローク量を、より伝達率の大きい領域（例えば、６０％〜７０％）のストローク量を基準とすることもできる。
【００６７】
また、本実施形態においては、駆動源の切替え時におけるエンジントルクの増加量を、ストローク量が基準ストローク量よりも小さい場合（切断側）及び、基準ストローク量よりも大きい場合（接続側）のいずれにおいても線形に増加させているが、これらエンジントルクの増加を非線形に増加させることも可能である。
また、バッテリ１１のバッテリ上限温度（Ｔｂ−ｍａｘ）を５０℃として説明したが、の上限温度は、５０℃に限られるものではなく、適宜、バッテリ１１の性能や使用環境に応じて設定を変更することができる。
【００６８】
また、走行用モータ４のモータ上限温度（Ｔｍ−ｍａｘ）を８０℃として説明したが、この上限温度は、８０℃に限られるものではなく、適宜、走行用モータ４の性能に応じて設定を変更することができる。
【符号の説明】
【００６９】
１  ハイブリッド式車両（車両）
２  エンジン
３  クラッチ装置
４  走行用モータ（電動機）
５  機械式自動変速機（変速機）
１０  インバータ
１１  バッテリ
２０  プロペラシャフト
２１  差動装置
３０  駆動制御ＥＣＵ（制御手段）
３１  エンジン制御部
３２  インバータ制御部
３３  バッテリ制御部
３４  クリープトルク演算部（目標クリープトルク算出手段）
３５  走行モード選択部（走行モード選択手段）
３６  回転合わせ制御部（回転合わせ制御手段）
３７  トルク変化量制御部
３８  クラッチ装置制御部
【図１】
0005472609.tif 000002
【図２】
0005472609.tif 000003
【図３】
0005472609.tif 000004
【図４】
0005472609.tif 000005
【図５】
0005472609.tif 000006